(57)【要約】【課題】カットオフラインを適切に暈すことができる車両用灯具を提供する。【解決手段】本発明の車両用灯具は、ロービーム配光用の光を出射する第１光源と、第１光源の前方側に配置されたレンズと、第１光源とレンズの間に配置され、ロービーム配光パターンのカットオフラインを形成するシェードと、第１光源からの光をレンズ側に反射するリフレクタと、を備え、レンズは、光が入射する入射面と、光を前方側に照射する出射面と、を備え、入射面は、スクリーン上の鉛直基準線から水平方向の所定の範囲内に照射される光が入射する中央側領域内に設けられる第１の光拡散部と、中央側領域内に設けられ、第１の光拡散部の下側に連なる第２の光拡散部と、を備え、第１の光拡散部と第２の光拡散部の境界が、入射面のカットオフライン上に照射される光を入射させるための鉛直方向の第１範囲内に位置し、第２の光拡散部は、第１の光拡散部よりも光の拡散幅が大きい。【選択図】図７
2020053215.tif 000002
【特許請求の範囲】
【請求項１】
車両用灯具であって、
前記車両用灯具は、
ロービーム配光用の光を出射する第１光源と、
前記第１光源の前方側に配置されたレンズと、
前記第１光源と前記レンズの間に配置され、ロービーム配光パターンのカットオフラインを形成するシェードと、
前記第１光源からの光を前記レンズ側に反射するリフレクタと、を備え、
前記レンズは、
光が入射する入射面と、
入射した光を前方側に照射する出射面と、を備え、
前記入射面は、
スクリーン上の鉛直基準線から水平方向の所定の範囲内に照射される光が入射する中央側領域内に設けられる第１の光拡散部と、
前記中央側領域内に設けられ、前記第１の光拡散部の下側に連なる第２の光拡散部と、を備え、
前記第１の光拡散部と前記第２の光拡散部の境界が、前記入射面のカットオフライン上に照射される光を入射させるための鉛直方向の第１範囲内に位置し、
前記第２の光拡散部は、前記第１の光拡散部よりも光の拡散幅が大きいことを特徴とする車両用灯具。
【請求項２】
前記第１の光拡散部と前記第２の光拡散部の境界が、前記第１範囲の鉛直方向のほぼ中間位置に設けられていることを特徴とする請求項１に記載の車両用灯具。
【請求項３】
前記車両用灯具は、前記第１光源と前記レンズの間に配置され、ハイビーム付加配光用の光を出射する第２光源を備え、
前記入射面は、前記中央側領域に連なる水平方向外側の外側領域の少なくとも前記第１光源及び前記第２光源の光が入射する領域に設けられた第３の光拡散部を備え、
前記第３の光拡散部は、光の拡散幅が前記第１の光拡散部の光の前記拡散幅と同じであることを特徴とする請求項１又は請求項２に記載の車両用灯具。
【請求項４】
前記第１の光拡散部は、前記入射面の鉛直方向上側の端まで設けられており、
前記第２の光拡散部は、前記入射面の鉛直方向下側の端まで設けられており、
前記第３の光拡散部は、前記入射面の前記外側領域全体に設けられていることを特徴とする請求項３に記載の車両用灯具。
【請求項５】
前記光拡散部は、前記入射面から突出するように形成され、隙間なく連なるように設けられた菱形プリズムを備え、
光の前記拡散幅が、前記菱形プリズムの突出高さによって設定されていることを特徴とする請求項１から請求項４のいずれか１項に記載の車両用灯具。
【請求項６】
前記中央側領域が、前記スクリーン上の鉛直基準線から水平方向で１０度以内の範囲に照射される光が入射する領域であることを特徴とする請求項１から請求項５のいずれか１項に記載の車両用灯具。
【請求項７】
前記第１の光拡散部と前記第２の光拡散部の境界が前記レンズのレンズ光軸よりも５ｍｍ以上鉛直方向下側に位置することを特徴とする請求項１から請求項６のいずれか１項に記載の車両用灯具。
【発明の詳細な説明】
【技術分野】
【０００１】
本発明は車両用灯具に関するものである。
【背景技術】
【０００２】
特許文献１には、光照射方向前方に向かって略水平に延びる光軸を有する光源と、光照射方向前方に向かって開口する凹状の楕円系反射面と、光軸上で楕円系反射面よりも光照射方向前方に配設された投影レンズとを備え、楕円系反射面は、光源からの光を光照射方向前方に向かって反射するよう、第一の焦点位置が当該光源付近に位置し、かつ第二の焦点位置が光軸上に位置した状態で配置されており、投影レンズは、光照射方向前方の光学面が凸状、光照射方向後方の光学面が平坦に形成され、光照射方向後方の側の焦点位置が第二の焦点位置付近に位置するように配置されており、光照射方向後方の光学面のうち、上下方向における中央部の所定領域には、横方向に延在するとともに上下方向に並べられた複数の柱状の湾曲部が凹設又は凸設されていることを特徴とする車両用前照灯が開示されている。
【０００３】
そして、特許文献１では、投影レンズは光照射方向前方の光学面が凸状、光照射方向後方の光学面が平坦に形成され、光照射方向後方の光学面のうち、上下方向における中央部の所定領域には、横方向に延在するとともに上下方向に並べられた複数の柱状の湾曲部が凹設又は凸設されているので、光源から出射されて光照射方向後方の光学面に入射する光のうち、中央部に入射する光は各湾曲部によって上下方向に屈折することとなり、遮光部材によって光の一部が遮蔽されることでカットオフが形成される場合であっても、湾曲部という簡易な構成によって明暗境界を暈すことができることが説明されている。
【先行技術文献】
【特許文献】
【０００４】
【特許文献１】特開２０１２−１９９１５６号公報
【発明の概要】
【発明が解決しようとする課題】
【０００５】
しかしながら、特許文献１に示されるように、レンズの裏面（入射面）に水平方向に延在する断面半円状の柱状体を設ける構成とすると、カットオフラインが必要以上に暈されてしまうおそれがある。
【０００６】
本発明は、このような事情に鑑みてなされたものであり、カットオフラインを適切に暈すことができる車両用灯具を提供することを目的とする。
【課題を解決するための手段】
【０００７】
本発明は、上記目的を達成するために以下の構成によって把握される。
（１）本発明の車両用灯具は、ロービーム配光用の光を出射する第１光源と、前記第１光源の前方側に配置されたレンズと、前記第１光源と前記レンズの間に配置され、ロービーム配光パターンのカットオフラインを形成するシェードと、前記第１光源からの光を前記レンズ側に反射するリフレクタと、を備え、前記レンズは、光が入射する入射面と、入射した光を前方側に照射する出射面と、を備え、前記入射面は、スクリーン上の鉛直基準線から水平方向の所定の範囲内に照射される光が入射する中央側領域内に設けられる第１の光拡散部と、前記中央側領域内に設けられ、前記第１の光拡散部の下側に連なる第２の光拡散部と、を備え、前記第１の光拡散部と前記第２の光拡散部の境界が、前記入射面のカットオフライン上に照射される光を入射させるための鉛直方向の第１範囲内に位置し、前記第２の光拡散部は、前記第１の光拡散部よりも光の拡散幅が大きい。
【０００８】
（２）上記（１）の構成において、前記第１の光拡散部と前記第２の光拡散部の境界が、前記第１範囲の鉛直方向のほぼ中間位置に設けられている。
【０００９】
（３）上記（１）又は（２）の構成において、前記車両用灯具は、前記第１光源と前記レンズの間に配置され、ハイビーム付加配光用の光を出射する第２光源を備え、前記入射面は、前記中央側領域に連なる水平方向外側の外側領域の少なくとも前記第１光源及び前記第２光源の光が入射する領域に設けられた第３の光拡散部を備え、前記第３の光拡散部は、光の拡散幅が前記第１の光拡散部の光の前記拡散幅と同じである。
【００１０】
（４）上記（３）の構成において、前記第１の光拡散部は、前記入射面の鉛直方向上側の端まで設けられており、前記第２の光拡散部は、前記入射面の鉛直方向下側の端まで設けられており、前記第３の光拡散部は、前記入射面の前記外側領域全体に設けられている。
【００１１】
（５）上記（１）から（４）のいずれか１つの構成において、前記光拡散部は、前記入射面から突出するように形成され、隙間なく連なるように設けられた菱形プリズムを備え、光の前記拡散幅が、前記菱形プリズムの突出高さによって設定されている。
【００１２】
（６）上記（１）から（５）のいずれか１つの構成において、前記中央側領域が、前記スクリーン上の鉛直基準線から水平方向で１０度以内の範囲に照射される光が入射する領域である。
【００１３】
（７）上記（１）から（６）のいずれか１つの構成において、前記第１の光拡散部と前記第２の光拡散部の境界が前記レンズのレンズ光軸よりも５ｍｍ以上鉛直方向下側に位置する。
【発明の効果】
【００１４】
本発明によれば、カットオフラインを適切に暈すことができる車両用灯具を提供することができる。
【図面の簡単な説明】
【００１５】
【図１】本発明に係る実施形態の車両用灯具を備えた車両の平面図である。
【図２】本発明に係る実施形態の灯具ユニットの側面図である。
【図３】本発明に係る実施形態の灯具ユニットの断面図である。
【図４】本発明に係る実施形態の灯具ユニットの一部分解斜視図である。
【図５】本発明に係る実施形態の灯具ユニットのレンズ及びレンズホルダを除く部分の分解斜視図である。
【図６】本発明に係る実施形態のスクリーン上に投影される配光パターンを模式的に示した図である。
【図７】本発明に係る実施形態のレンズ（レンズ部）の入射面を示す図である。
【図８】本発明に係る実施形態の第１の光拡散部と第２の光拡散部によってどのようにカットオフラインが暈されるのかを説明するための図である。
【発明を実施するための形態】
【００１６】
以下、添付図面を参照して、本発明を実施するための形態（以下、「実施形態」と称する。）について詳細に説明する。
なお、実施形態の説明の全体を通して同じ要素には同じ番号又は符号を付している。
【００１７】
また、実施形態及び図中において、特に断りがない場合、「前」、「後」は、各々、車両の「前進方向」、「後進方向」を示し、「上」、「下」、「左」、「右」は、各々、車両に乗車する運転者から見た方向を示す。
なお、言うまでもないが「上」、「下」は鉛直方向での「上」、「下」でもあり、「左」、「右」は水平方向での「左」、「右」でもある。
【００１８】
図１は、本発明に係る実施形態の車両用灯具を備えた車両１０２の平面図である。
図１に示すように、本発明に係る実施形態の車両用灯具は、車両１０２の前方の左右のそれぞれに設けられる車両用の前照灯（１０１Ｌ、１０１Ｒ）であり、以下では単に車両用灯具と記載する。
【００１９】
本実施形態の車両用灯具は、車両前方側に開口したハウジング（図示せず）と開口を覆うようにハウジングに取り付けられるアウターレンズ（図示せず）を備え、ハウジングとアウターレンズとで形成される灯室内に灯具ユニット１（図２参照）等が配置されている。
【００２０】
図２は灯具ユニット１の側面図であり、図３は灯具ユニット１の図２に示す灯具ユニット光軸（以下、灯具光軸Ｚともいう）に沿った断面図である。
また、図４は灯具ユニット１の一部分解斜視図であり、図５は灯具ユニット１のレンズ７０及びレンズホルダ６０を除く部分の分解斜視図である。
【００２１】
さらに、図６は、スクリーン上に投影される配光パターンを模式的に示した図であり、具体的には、ロービーム配光パターンＬＰとハイビーム配光パターンＨＰ（ハイビーム付加配光ＨＡＰ）を説明するための図である。
なお、図６のＶＵ−ＶＬ線はスクリーン上での鉛直基準線を示し、図６のＨＬ−ＨＲ線はスクリーン上での水平基準線を示している。
【００２２】
図３及び図５に示すように、灯具ユニット１は、主に、ヒートシンク１０と、冷却ファン２０と、第１光源Ｌと、リフレクタ３０と、シェード４０と、第２光源Ｈと、反射部材５０と、レンズホルダ６０と、レンズ７０と、を備えている。
【００２３】
（ヒートシンク１０）
ヒートシンク１０は、第１光源Ｌ及び第２光源Ｈの発生する熱を効率よく、放熱するために、熱伝導率のよい金属又は樹脂等によって形成され、本実施形態では、ヒートシンク１０の後述する各部が一体成型されたアルミダイカスト製のヒートシンク１０になっている。
ただし、本実施形態のように、一体成型品のヒートシンク１０に限定される必要はなく、一部が別部品で作製されて組み付けた形態のヒートシンク１０であってもよい。
【００２４】
ヒートシンク１０は、第１光源Ｌが配置される第１ベース部１２と、第１ベース部１２の前方側であって第１ベース部１２の下側に位置するとともに前方斜め下側に傾斜する、第２光源Ｈが配置される第２ベース部１３と、を有するベース部１１を備えている。
【００２５】
第１ベース部１２は、図５に示すように、上面に一体に形成され、第１光源Ｌを配置する第１光源配置部１２Ａを備えている。
そして、第１光源配置部１２Ａに配置された第１光源Ｌは、第１ベース部１２に一対のネジ１２Ｎ１で固定される光源ホルダ８０によって、第１光源配置部１２Ａに対して固定される。
【００２６】
一方、第２ベース部１３は、前方側を向く前面が第２光源Ｈを受けて、第２光源Ｈを配置する第２光源配置部１３Ａになっている。
なお、第２光源配置部１３Ａには、左右一対の位置決めピン１３ＡＡが前方側に突出するように形成されているとともに、その位置決めピン１３ＡＡの少し上側の位置に左右一対のネジ固定孔１３ＡＢが形成されている。
【００２７】
そして、後述するように、第２光源Ｈ、シェード４０、及び、反射部材５０は、それぞれ位置決めピン１３ＡＡに対応する一対の位置決めピン挿入孔（位置決めピン挿入孔Ｈ１１、位置決めピン挿入孔４２Ａ、位置決めピン挿入孔５２Ａ）と、ネジ固定孔１３ＡＢに対応する一対のネジ挿入孔（ネジ挿入孔Ｈ１２、ネジ挿入孔４２Ｂ、ネジ挿入孔５２Ｂ）と、を備えており、図４に示すように、第２光源Ｈ、シェード４０、及び、反射部材５０が、ネジ１３Ｎ１で第２ベース部１３に対して、共止めされるようになっている。
【００２８】
また、図３に示すように、ヒートシンク１０は、ベース部１１の下側にベース部１１に一体に設けられた複数の放熱フィン１１Ｆを備えている。
具体的には、放熱フィン１１Ｆは、第１ベース部１２から下側に延在し、第１ベース部１２と一体に設けられた前後方向に並ぶ複数の第１放熱フィン１２Ｆと、第２ベース部１３から後方側に延在し、第２ベース部１３と一体に設けられた水平方向に並ぶ複数の第２放熱フィン１３Ｆと、を備えている。
【００２９】
第１放熱フィン１２Ｆは、薄板状であって、その薄板状の面が前後方向に向くように形成されており、冷却ファン２０から第１放熱フィン１２Ｆ同士の間に送られた風は、水平方向に流れるようになっている。
【００３０】
近年は、車両用灯具の小型化のために、灯具ユニット１が配置される灯室内の後方側の内壁面が灯具ユニット１の後方近くに位置する傾向にある。
この場合、風の流れを後方側に向けるようにすると、灯具ユニット１の後方近くに位置する灯室内の後方側の内壁面の影響で風の流れが悪くなり、冷却効率が低下するおそれがあるが、本実施形態のように、水平方向に風を流すようにすれば、そのような冷却効率の低下を回避することができる。
【００３１】
一方、第２放熱フィン１３Ｆは、薄板状であって、その薄板状の面が左右方向（水平方向）に向くように形成されており、冷却ファン２０から送られる風が第２ベース部１３に沿って、上側に流れるようにしている。
そして、この風の流れを阻害しないように、第１ベース部１２と第２ベース部１３の間には、水平方向に横長の上下方向に開口する開口部１１Ａが形成されている。
【００３２】
このため、図５に示すように、第２ベース部１３の左右外側に設けられたレンズホルダ６０を取り付ける一対のレンズホルダ取付部１４等の影響を受けて冷却効率が低下することを回避することができる。
【００３３】
また、風は、第２ベース部１３に沿って流れるうちに熱を奪い、温度が上昇するため、左右方向ではなく、上側に流れるようにすることで、より一層流れがよくなるため、冷却効率を高めることが可能である。
【００３４】
さらに、その風は開口部１１Ａを通じてリフレクタ３０側に流入して、第１ベース部１２とリフレクタ３０の間の空間の冷却にも寄与するため、第１光源Ｌの冷却効率をより一層高めることができる。
【００３５】
先にも、少し触れたとおり、ヒートシンク１０は、図５に示すように、第２ベース部１３の左右外側に設けられた一対のレンズホルダ取付部１４を備えており、図４に示すように、レンズホルダ取付部１４は、それぞれ位置決めピン１４Ａと、位置決めピン１４Ａを挟んで上下に設けられた一対のネジ固定孔１４Ｂと、を備えている。
【００３６】
そして、後述するように、レンズホルダ６０は、位置決めピン１４Ａに対応する位置決めピン挿入孔（位置決めピン挿入孔６１ＢＡ、位置決めピン挿入孔６２ＢＡ）と、ネジ固定孔１４Ｂに対応するネジ挿入孔（ネジ挿入孔６１ＢＢ、ネジ挿入孔６２ＢＢ）と、を備えており、図２に示すように、ネジ１４Ｎ１でレンズホルダ取付部１４に対して固定されるようになっている。
【００３７】
なお、ヒートシンク１０は、図２に示すように、下向きに開口するネジ固定孔が形成された冷却ファン取付脚部１５を有しており、その冷却ファン取付脚部１５にネジ１５Ｎ１で冷却ファン２０が取り付けられている。
【００３８】
（冷却ファン２０）
冷却ファン２０は、図３に示すように、ヒートシンク１０の放熱フィン１１Ｆの下側に配置され、先に述べたように、ネジ１５Ｎ１によって、ヒートシンク１０の冷却ファン取付脚部１５に固定されている。
【００３９】
そして、冷却ファン２０を駆動させることで、風が複数の放熱フィン１１Ｆ同士の間に送り込まれ、ヒートシンク１０による冷却効率が高められ、効率よく第１光源Ｌ及び第２光源Ｈを冷却することができる。
【００４０】
（第１光源Ｌ）
第１光源Ｌは、ロービーム配光用の光を出射する光源であり、基板Ｌ１と、基板Ｌ１上に設けられた１つの第１発光チップＬ２と、を備えている。
なお、第１発光チップＬ２の数は１つに限定される必要はなく、複数の第１発光チップＬ２（例えば４チップ）が基板Ｌ１上に設けられたものであってもよい。
【００４１】
そして、第１光源Ｌは、光を上側に出射するように第１ベース部１２上に配置されており、出射した光は、第１光源Ｌ側を向くリフレクタ３０の反射面３１によってレンズ７０側に反射される。
【００４２】
なお、本実施形態では、第１光源Ｌは、第１発光チップＬ２がＬＥＤチップであるＬＥＤ光源を用いるようにしているが、第１発光チップＬ２がＬＤチップ（レーザダイオードチップ）であるレーザ光源等であってもよく、第１光源Ｌには、半導体型光源が好適に用いられる。
【００４３】
（リフレクタ３０）
リフレクタ３０は、図５に示すように、第１光源Ｌからの光をレンズ７０側に反射する反射面３１（図３参照）を有する反射部３０Ａと、反射部３０Ａの下端外周に設けられたフランジ部３０Ｂと、を備えている。
【００４４】
そして、第１ベース部１２上には、リフレクタ３０の位置決め用の左右一対の位置決めピン１２Ｂと、リフレクタ３０をネジ固定するための一対のネジ１２Ｎ２を固定する左右一対のネジ固定孔１２Ｃが設けられており、リフレクタ３０のフランジ部３０Ｂは、位置決めピン１２Ｂに対応する左右一対のピン挿入孔３０ＢＡと、ネジ固定孔１２Ｃに対応する左右一対のネジ挿入孔３０ＢＢと、を備えている。
【００４５】
このため、リフレクタ３０を位置決めピン１２Ｂで位置決めするように、第１ベース部１２上に配置した後、ネジ１２Ｎ２をネジ固定孔１２Ｃに螺合させることで、リフレクタ３０を第１ベース部１２に対して固定することができる。
【００４６】
このように固定されたリフレクタ３０は、図３に示すように、前方側を開口した状態として、第１光源Ｌ上を半ドーム状に覆った状態となり、第１光源Ｌからの光が前方側の開口を通じてレンズ７０側に照射されることになる。
【００４７】
なお、本実施形態では、第１光源Ｌの前方側近傍を遮光する板部材９０を備えており、板部材９０は、リフレクタ３０と共に第１ベース部１２に共止めされるようになっている。
また、リフレクタ３０は反射面３１が２つの焦点を有する楕円面状に形成されており、リフレクタ３０は、後方側の焦点となる反射面３１の第１焦点（リフレクタ３０の後方側の第１焦点ともいう。）がほぼ第１光源Ｌの第１発光チップＬ２の発光中心に一致するとともに、前方側の焦点となる反射面３１の第２焦点ＢＰ（リフレクタ３０の前方側の第２焦点ＢＰともいう。）が前後方向で見てシェード４０と重なる範囲内であってシェード４０の下側に位置するように、第１ベース部１２上に配置されている。
【００４８】
（シェード４０）
シェード４０は、図３及び図４に示すように、前後方向で見て、第１光源Ｌとレンズ７０の間に配置され、リフレクタ３０でレンズ７０側に反射された第１光源Ｌからの光のうち、レンズ７０の下側に向かう光の一部を遮光し、ロービーム配光パターンＬＰ（図６参照）のカットオフラインＣＬ（図６参照）を形成するための部材である。
【００４９】
このため、シェード４０は、図５に示すように、カットオフラインＣＬ（図６参照）の形状に合わせた形状を有し、後述する第２光源Ｈの第２発光チップＨ２の上側に位置し、カットオフラインＣＬ（図６参照）を形成する遮光部４１を備えている。
【００５０】
具体的には、カットオフラインＣＬは、水平方向に延在する上側水平カットオフラインＣＬ１と、クリーンの水平基準線（ＨＬ−ＨＲ線参照）より下側まで延在するように、上側水平カットオフラインＣＬ１のスクリーンの鉛直基準線（ＶＵ−ＶＬ線参照）側の端部から鉛直基準線（ＶＵ−ＶＬ線参照）に向かって斜め下側に延びる斜めカットオフラインＣＬ２と、斜めカットオフラインＣＬ２から離れる方向に斜めカットオフラインＣＬ２のスクリーンの鉛直基準線（ＶＵ−ＶＬ線参照）側の端部から水平方向に延在する下側水平カットオフラインＣＬ３と、を備えており、シェード４０は、図５に示すように、上側水平カットオフラインＣＬ１、斜めカットオフラインＣＬ２、及び、下側水平カットオフラインＣＬ３を形成するのに合わせた形状の遮光部４１を備えている。
【００５１】
また、シェード４０は、遮光部４１の左右の端部（つまり、両端部）のそれぞれに一体に設けられ、ヒートシンク１０（より詳細には、第２ベース部１３）に固定するための一対のアーム部４２を備えている。
【００５２】
そして、左右一対のアーム部４２のそれぞれには、第２ベース部１３の第２光源配置部１３Ａの位置決めピン１３ＡＡに対応する位置決めピン挿入孔４２Ａと、第２ベース部１３の第２光源配置部１３Ａのネジ固定孔１３ＡＢに対応するネジ挿入孔４２Ｂと、が形成されており、先に説明したように、ネジ１３Ｎ１で第２ベース部１３に対して固定できるようになっている。
【００５３】
（第２光源Ｈ）
第２光源Ｈは、ハイビーム付加配光用の光を出射する光源であり、図３に示すように、前後方向の位置で見て、第１光源Ｌとレンズ７０の間に配置されている。
【００５４】
そして、第２光源Ｈは、図５に示すように、基板Ｈ１と、基板Ｈ１上に設けられ、水平方向に並ぶ複数の第２発光チップＨ２と、を備えており、ハイビーム配光パターンＨＰ（図６参照）とする場合には、第２光源Ｈからの光で形成されるハイビーム付加配光ＨＡＰ（図６参照）がロービーム配光パターンＬＰ（図６参照）の上側に付加されることで、ハイビーム配光パターンＨＰ（図６参照）が形成される。
【００５５】
このため、第２発光チップＨ２の一部又は全部を点消灯させることで、対向車や先行車に対するグレアを抑制するように、ハイビーム配光パターンＨＰ（より詳細には、ハイビーム付加配光ＨＡＰの状態）を変化させる可変ハイビーム（Ａｄａｐｔｉｖｅ  Ｄｒｉｖｉｎｇ  Ｂｅａｍ）制御を行うことができる。
【００５６】
本実施形態では、第２光源Ｈも、第１光源Ｌと同様に第２発光チップＨ２にＬＥＤチップを用いたＬＥＤ光源である。
【００５７】
ただし、第１光源Ｌで説明したのと同様に、第２発光チップＨ２がＬＤチップ（レーザダイオードチップ）であるレーザ光源等であってもよく、第２光源Ｈには、半導体型光源が好適に用いられる。
【００５８】
そして、基板Ｈ１には、第２ベース部１３の第２光源配置部１３Ａの位置決めピン１３ＡＡに対応する左右一対の位置決めピン挿入孔Ｈ１１と、第２ベース部１３の第２光源配置部１３Ａのネジ固定孔１３ＡＢに対応する左右一対のネジ挿入孔Ｈ１２と、が形成されており、先に説明したように、ネジ１３Ｎ１で第２ベース部１３に対して固定できるようになっている。
【００５９】
（反射部材５０）
反射部材５０は、第２発光チップＨ２よりも下側に配置され、第２発光チップＨ２からの光の一部をレンズ７０の上側に向けて反射する部材であり、第２光源Ｈ（第２発光チップＨ２）からの光をレンズ７０に向けて反射する反射部５１と、反射部５１の左右に一体に設けられ、第２ベース部１３に固定するための固定部５２と、を備えている。
【００６０】
そして、反射部５１でレンズ７０の下側に入射する光をレンズ７０の上側に反射させることで、第２光源Ｈ（第２発光チップＨ２）からの光で形成されるハイビーム付加配光ＨＡＰが上方に広がりを有する配光となる。
【００６１】
また、左右一対の固定部５２のそれぞれには、第２ベース部１３の第２光源配置部１３Ａの位置決めピン１３ＡＡに対応する位置決めピン挿入孔５２Ａと、第２ベース部１３の第２光源配置部１３Ａのネジ固定孔１３ＡＢに対応するネジ挿入孔５２Ｂと、が形成されており、先に説明したように、ネジ１３Ｎ１で第２ベース部１３に対して固定できるようになっている。
【００６２】
（レンズホルダ６０）
レンズホルダ６０は、図３及び図４に示すように、後述するレンズ７０（より詳細にはフランジ部７２）の後方側を受ける第１ホルダ６１と、レンズ７０（より詳細にはフランジ部７２）の前方側からレンズ７０（より詳細にはフランジ部７２）を第１ホルダ６１側に押圧する第２ホルダ６２と、を備えている。
【００６３】
第１ホルダ６１は、レンズ７０の光が入射する入射面７１Ａに対応する開口部の周縁部がレンズ７０のフランジ部７２の後方側を受ける受部６１ＡＡとされ、ヒートシンク１０に取り付けられたときに、レンズ７０が前方側の所定の位置に位置するように形成された第１ホルダ本体部６１Ａと、第１ホルダ本体部６１Ａの後方側に一体に設けられ、ヒートシンク１０の一対のレンズホルダ取付部１４への固定のための左右一対の第１取付部６１Ｂと、を備えている。
【００６４】
また、受部６１ＡＡには、レンズ７０の左右一対の位置決め凹部７２Ａに係合する左右一対の位置決め突起６１ＡＢが設けられている。
【００６５】
一方、第２ホルダ６２は、レンズ７０の光が出射する出射面７１Ｂに対応する開口部の周縁部がレンズ７０のフランジ部７２を第１ホルダ６１の受部６１ＡＡ側に押圧する押圧部６２ＡＡとされ、第１ホルダ６１の第１ホルダ本体部６１Ａに外装される第２ホルダ本体部６２Ａと、ヒートシンク１０の一対のレンズホルダ取付部１４への固定のための左右一対の第２取付部６２Ｂと、を備えている。
【００６６】
そして、左右一対の第１ホルダ６１の第１取付部６１Ｂ、及び、左右一対の第２ホルダ６２の第２取付部６２Ｂのそれぞれには、ヒートシンク１０のレンズホルダ取付部１４の位置決めピン１４Ａに対応する位置決めピン挿入孔（位置決めピン挿入孔６１ＢＡ、位置決めピン挿入孔６２ＢＡ）と、その位置決めピン挿入孔（位置決めピン挿入孔６１ＢＡ、位置決めピン挿入孔６２ＢＡ）を挟んで上下に一対設けられたヒートシンク１０のレンズホルダ取付部１４のネジ固定孔１４Ｂに対応するネジ挿入孔（ネジ挿入孔６１ＢＢ、ネジ挿入孔６２ＢＢ）と、を備えている。
【００６７】
したがって、レンズホルダ６０は、第１ホルダ６１と第２ホルダ６２とでレンズ７０のフランジ部７２を狭持するようにして、ネジ１４Ｎ１でヒートシンク１０のレンズホルダ取付部１４に取り付けられるようになっている。
【００６８】
（レンズ７０）
レンズ７０は、図３及び図４に示すように、前後方向で見て、第１光源Ｌの前方側に配置されており、配光制御を行うレンズ部７１と、レンズ部７１の外周部に一体に設けられ、先に述べたように、レンズホルダ６０（第１ホルダ６１の受部６１ＡＡと第２ホルダ６２の押圧部６２ＡＡ）によって狭持されるフランジ部７２と、を備えている。
【００６９】
また、フランジ部７２には、第１ホルダ６１の受部６１ＡＡに設けられた左右一対の位置決め突起６１ＡＢを受け入れる左右一対の外側に開放された切欠状の位置決め凹部７２Ａが設けられている。
【００７０】
そして、レンズ７０（より詳細にはレンズ部７１）は、光が入射する入射面７１Ａと、入射した光を前方側に照射する出射面７１Ｂと、を備え、光が入射する入射面７１Ａから第１光源Ｌ及び第２光源Ｈからの光が入射し、その入射した光が出射する出射面７１Ｂから前方側に照射される。
【００７１】
ここで、図３に示すように、第２ベース部１３の第２光源配置部１３Ａは、前方斜め上側を向くようになっており、第２光源Ｈもそれによって、前方斜め上側を向くようになっている。
【００７２】
そして、この前方斜め上側への傾きが適切なものとされることで、第２光源Ｈ（第２発光チップＨ２）からの光が形成するハイビーム付加配光ＨＡＰは、第１光源Ｌ（第１発光チップＬ２）からの光が形成するロービーム配光パターンＬＰからほとんど分離しない状態になっている。
【００７３】
このため、レンズ７０は、主に、レンズ７０（より詳細にはレンズ部７１）のレンズ光軸Ｏよりも下側の出射面７１Ｂの全体の曲率を僅かに修正して第１光源Ｌからの光で形成されるロービーム配光パターンＬＰ（図６参照）を僅かに上側（例えば、コンマ数度程度）に位置するようにすれば、ロービーム配光パターンＬＰ（図６参照）とハイビーム付加配光ＨＡＰ（図６参照）と、が分離しないものとできる。
【００７４】
したがって、本実施形態では、レンズ７０の出射面７１Ｂの僅かな修正だけでよいため、レンズ７０の出射面７１Ｂに歪みが現れることを抑制することができる。
【００７５】
また、本実施形態では、ロービーム配光パターンＬＰとハイビーム配光パターンＨＰ（ハイビーム付加配光ＨＡＰ）との間に光度の高い明るい筋が現れるのを抑制するために、図３に示すように、レンズ７０（より詳細にはレンズ部７１）の後方焦点Ｐがリフレクタ３０の前方側の焦点である第２焦点ＢＰよりも前方側に位置するようにしている。
【００７６】
そして、レンズ７０（より詳細にはレンズ部７１）の後方焦点Ｐをリフレクタ３０の前方側の焦点である第２焦点ＢＰよりも前方側に位置させたことに伴って、カットオフラインＣＬ（図６参照）が鉛直方向上側に移動するのに対応して、図３に示すように、レンズ７０（レンズ部７１）の後方焦点Ｐを回転軸として、レンズ７０のレンズ光軸Ｏを下側に回転させて、レンズ光軸Ｏが後方焦点Ｐを回転軸とした傾斜を有するものとして、灯具光軸Ｚに対して前方斜め下側に傾斜した状態にし、レンズ７０から前方側に照射される光が全体的に下側にシフトするようにして、カットオフラインＣＬがスクリーン上の適切な位置に現れるようにしている。
【００７７】
具体的には、レンズホルダ６０で狭持されることになるレンズ７０のフランジ部７２の設定によって、レンズ７０（より詳細にはレンズ部７１）の後方焦点Ｐがリフレクタ３０の前方側の焦点である第２焦点ＢＰよりも約０．７ｍｍ前方側に位置するとともに、レンズ光軸Ｏが灯具光軸Ｚに対して、約０．４度程度、前方斜め下側に傾斜させるようにしている。
【００７８】
ただし、フランジ部７２の設定に限定される必要はなく、例えば、レンズホルダ６０側の設定によって、レンズ７０（より詳細にはレンズ部７１）の後方焦点Ｐをリフレクタ３０の前方側の焦点である第２焦点ＢＰよりも約０．７ｍｍ前方側に位置させるとともに、レンズ光軸Ｏが灯具光軸Ｚに対して、約０．４度程度、前方斜め下側に傾斜させるようにしてもよい。
【００７９】
一方、本実施形態では、レンズ７０（レンズ部７１）の入射面７１Ａに、カットオフラインＣＬを適切に暈すことができる光拡散部を設けるようにしており、以下、詳細に説明する。
【００８０】
図７は、レンズ７０（レンズ部７１）の入射面７１Ａを示す図である。
図７に示すように、入射面７１Ａは、水平方向（図左右方向）で見て、スクリーン上の鉛直基準線（図６のＶＵ−ＶＬ線）から水平方向の所定の範囲内に照射される光が入射する中央側領域ＺＮ１と、中央側領域ＺＮ１に連なる水平方向外側の外側領域ＺＮ２と、を備えている。
なお、本実施形態では、入射面７１Ａの直径が６５ｍｍ程度になっている。
【００８１】
具体的には、本実施形態では、スクリーン上の鉛直基準線（図６のＶＵ−ＶＬ線）から水平方向の所定の範囲をスクリーン上の鉛直基準線（図６のＶＵ−ＶＬ線）から水平方向で１０度以内の範囲ＲＮ（図６参照）としているので、中央側領域ＺＮ１は、スクリーン上の鉛直基準線（図６のＶＵ−ＶＬ線）から水平方向で１０度以内の範囲ＲＮに照射される光が入射する領域になっている。
【００８２】
そして、入射面７１Ａは、中央側領域ＺＮ１内に設けられた第１の光拡散部ＯＰＤ１と、中央側領域ＺＮ１内に設けられ、第１の光拡散部ＯＰＤ１の下側に連なる第２の光拡散部ＯＰＤ２と、を備えている。
【００８３】
本実施形態では、第１の光拡散部ＯＰＤ１は、入射面７１Ａの鉛直方向上側の端まで設けられており、第２の光拡散部ＯＰＤ２は、入射面７１Ａの鉛直方向下側の端まで設けられている。
【００８４】
ただし、第１の光拡散部ＯＰＤ１は、入射面７１Ａの鉛直方向上側の端まで設けられることに限定される必要はなく、第１光源Ｌからの光が入射する範囲より若干上側まで設けられていればよい。
例えば、第１の光拡散部ＯＰＤ１の上端は、レンズ光軸Ｏよりも上側に３ｍｍ以上１５ｍｍ以下の範囲内に位置するように設けられてもよい。
【００８５】
しかし、本実施形態は、レンズ７０がハイビーム付加配光ＨＡＰを形成する第２光源Ｈからの光の配光制御にも用いられているため、第１の光拡散部ＯＰＤ１は、入射面７１Ａの鉛直方向上側の端まで設けられるようにしている。
【００８６】
なお、第２光源Ｈからの光も入射面７１Ａの鉛直方向上側の端まで入射するわけではないため、第２光源Ｈからの光も入射面７１Ａの鉛直方向上側の位置を基準に３ｍｍ以上１０ｍｍ以下の程度内の位置に第１の光拡散部ＯＰＤ１の上端が位置するものであってもよい。
【００８７】
そして、第１の光拡散部ＯＰＤ１と第２の光拡散部ＯＰＤ２は、第１の光拡散部ＯＰＤ１と第２の光拡散部ＯＰＤ２の境界ＢＬが、入射面７１ＡのカットオフラインＣＬ上に照射される光を入射させるための鉛直方向の第１範囲Ｗ内に位置するように形成されており、本実施形態では、第１の光拡散部ＯＰＤ１と第２の光拡散部ＯＰＤ２の境界ＢＬが、第１範囲Ｗの鉛直方向のほぼ中間位置に設けられている。
【００８８】
具体的には、図６に示すように、スクリーン上の鉛直基準線（図６のＶＵ−ＶＬ線）から左右に１０度の範囲内には、カットオフラインＣＬの上側水平カットオフラインＣＬ１の一部、斜めカットオフラインＣＬ２、及び、下側水平カットオフラインＣＬ３の一部が存在し、この上側水平カットオフラインＣＬ１と下側水平カットオフラインＣＬ３の間の鉛直方向で見た幅に対応する入射面７１Ａの部分が第１範囲Ｗになっている。
【００８９】
ただし、第１範囲Ｗは、レンズ７０の取付時の位置ズレ等を考慮して、上側水平カットオフラインＣＬ１と下側水平カットオフラインＣＬ３の間の鉛直方向で見た幅に対応する幅よりも若干大きめの幅（例えば、対応する幅を基準に上下に５ｍｍ程度広く取った幅）としている。
【００９０】
なお、言うまでもないが、上側水平カットオフラインＣＬ１と下側水平カットオフラインＣＬ３の間の鉛直方向で見た幅に対応する幅とは、スクリーン上の実寸で上側水平カットオフラインＣＬ１と下側水平カットオフラインＣＬ３の間の鉛直方向で見た幅と同じ幅を意味するものではなく、レンズ７０を介して前方側に照射される前の状態のときの幅である。
【００９１】
また、本実施形態では、先に説明したように、レンズ７０（より詳細にはレンズ部７１）のレンズ光軸Ｏよりも下側の出射面７１Ｂの全体の曲率を僅かに修正して第１光源Ｌからの光で形成されるロービーム配光パターンＬＰを僅かに上側（例えば、コンマ数度程度）に位置するようにしているため、第１範囲Ｗ（より正確には、第１範囲Ｗの上端）が、レンズ７０のレンズ光軸Ｏよりも５ｍｍ以上鉛直方向下側に位置している。
【００９２】
そして、本実施形態では、第１の光拡散部ＯＰＤ１と第２の光拡散部ＯＰＤ２が、どちらも入射面７１Ａから突出するように形成され、隙間なく連なるように設けられた複数の菱形プリズムを備え、その菱形プリズムの突出高さによって、第２の光拡散部ＯＰＤ２が、第１の光拡散部ＯＰＤ１よりも光の拡散幅が大きいものとされている。
【００９３】
なお、第１の光拡散部ＯＰＤ１と第２の光拡散部ＯＰＤ２が備える菱形プリズムは、入射面７１Ａを正面に見たときの菱形プリズムの菱形の外形で見れば同じ外形のものになっており、突出高さだけが異なったものになっている。
【００９４】
具体的には、本実施形態では、第１の光拡散部ＯＰＤ１の菱形プリズムの突出高さを７〜８μｍ程度とし、第２の光拡散部ＯＰＤ２の菱形プリズムの突出高さを１０μｍ程度とすることで、第２の光拡散部ＯＰＤ２の方が、第１の光拡散部ＯＰＤ１よりも光の拡散幅が大きいものとされている。
【００９５】
図８は、第１の光拡散部ＯＰＤ１と第２の光拡散部ＯＰＤ２によってどのようにカットオフラインＣＬが暈されるのかを説明するための図である。
【００９６】
図８の実線で示されているカットオフラインＣＬは、本来のカットオフラインＣＬである。
そして、図７に示した第１範囲Ｗの近くに入射する光は、本来、図８に示すカットオフラインＣＬより下側に照射されることになるが、そこに第１の光拡散部ＯＰＤ１と第２の光拡散部ＯＰＤ２が設けられているため、入射面７１Ａから光が入射するときに光が拡散されることで、カットオフラインＣＬよりも上側にも光が照射されることになる。
【００９７】
具体的には、菱形プリズムの突出高さが低く、光の拡散幅が小さい第１の光拡散部ＯＰＤ１で拡散された光は、図８に示す点線ＳＬＭのところまで広がるようにレンズ７０から照射される。
【００９８】
一方、菱形プリズムの突出高さが高く、光の拡散幅が大きい第２の光拡散部ＯＰＤ２で拡散された光は、図８に示す一点鎖線ＳＬのところまで広がるようにレンズ７０から照射される。
【００９９】
このため、カットオフラインＣＬから図８に示す点線ＳＬＭまでの範囲は、第１の光拡散部ＯＰＤ１で拡散された光と第２の光拡散部ＯＰＤ２で拡散された光が多重される領域になっており、一方、図８に示す点線ＳＬＭから図８に示す一点鎖線ＳＬまでの範囲は、第２の光拡散部ＯＰＤ２で拡散された光だけで形成される領域になっているため、カットオフラインＣＬから鉛直方向上側に離れるにしたがって緩やかに光度が低下する光度分布を実現することができるので、視認性の良いロービーム配光パターンＬＰになる。
【０１００】
しかも、菱形プリズムの突出高さによって、光の拡散幅が変わるため、求められる適切な光の拡散幅に設定することが可能であり、カットオフラインＣＬが暈され過ぎることを回避する設計ができる。
【０１０１】
一方、配光パターン（ロービーム配光パターンＬＰ、ハイビーム配光パターンＨＰ）の暈しの不均一感を与えないために、入射面７１Ａは、例えば、外側領域ＺＮ２（図７参照）の少なくとも第１光源Ｌ及び第２光源Ｈの光が入射する領域に設けられた第３の光拡散部ＯＰＤ３を備えるのが好ましく、本実施形態では、入射面７１Ａが入射面７１Ａの外側領域ＺＮ２全体に設けられた第３の光拡散部ＯＰＤ３を備えるものとしている。
【０１０２】
具体的には、第３の光拡散部ＯＰＤ３も入射面７１Ａから突出するように形成され、隙間なく連なるように設けられた複数の菱形プリズムを備え、入射面７１Ａを正面に見たときの菱形プリズムの菱形の外形で見れば、第１の光拡散部ＯＰＤ１及び第２の光拡散部ＯＰＤ２の菱形プリズムと同じ外形になっている。
【０１０３】
一方、第３の光拡散部ＯＰＤ３は、大きく光を拡散させる必要はないため、第３の光拡散部ＯＰＤ３の菱形プリズムの突出高さは、第１の光拡散部ＯＰＤ１の菱形プリズムの突出高さとほぼ同じ（７〜８μｍ程度）とされ、第３の光拡散部ＯＰＤ３の光の拡散幅は、第１の光拡散部ＯＰＤ１の光の拡散幅とほぼ同じにしている。
【０１０４】
このように、外側領域ＺＮ２にも光拡散部を設けるようにすることで、部分的に光が拡散され、違和感のある配光パターン（ロービーム配光パターンＬＰ、ハイビーム配光パターンＨＰ）となることを抑制することができる。
【０１０５】
以上、具体的な実施形態を基に本発明の説明を行ってきたが、本発明は、上記実施形態に限定されるものではなく、技術的思想を逸脱することのない変更や改良を行ったものも発明の技術的範囲に含まれるものであり、そのことは当業者にとって特許請求の範囲の記載から明らかである。
【符号の説明】
【０１０６】
１  灯具ユニット
１０  ヒートシンク
１１  ベース部
１１Ａ  開口部
１１Ｆ  放熱フィン
１２  第１ベース部
１２Ａ  第１光源配置部
１２Ｂ  位置決めピン
１２Ｃ  ネジ固定孔
１２Ｆ  第１放熱フィン
１２Ｎ１、１２Ｎ２  ネジ
１３  第２ベース部
１３Ａ  第２光源配置部
１３ＡＡ  位置決めピン
１３ＡＢ  ネジ固定孔
１３Ｆ  第２放熱フィン
１３Ｎ１  ネジ
１４  レンズホルダ取付部
１４Ａ  位置決めピン
１４Ｂ  ネジ固定孔
１４Ｎ１  ネジ
１５  冷却ファン取付脚部
１５Ｎ１  ネジ
２０  冷却ファン
３０  リフレクタ
３０Ａ  反射部
３０Ｂ  フランジ部
３０ＢＡ  ピン挿入孔
３０ＢＢ  ネジ挿入孔
３１  反射面
４０  シェード
４１  遮光部
４２  アーム部
４２Ａ  位置決めピン挿入孔
４２Ｂ  ネジ挿入孔
５０  反射部材
５１  反射部
５２  固定部
５２Ａ  位置決めピン挿入孔
５２Ｂ  ネジ挿入孔
６０  レンズホルダ
６１  第１ホルダ
６１Ａ  第１ホルダ本体部
６１ＡＡ  受部
６１ＡＢ  位置決め突起
６１Ｂ  第１取付部
６１ＢＡ  位置決めピン挿入孔
６１ＢＢ  ネジ挿入孔
６２  第２ホルダ
６２Ａ  第２ホルダ本体部
６２ＡＡ  押圧部
６２Ｂ  第２取付部
６２ＢＡ  位置決めピン挿入孔
６２ＢＢ  ネジ挿入孔
７０  レンズ
７１  レンズ部
７１Ａ  入射面
７１Ｂ  出射面
７２  フランジ部
７２Ａ  位置決め凹部
８０  光源ホルダ
９０  板部材
ＢＬ  境界
ＢＰ  第２焦点
ＣＬ  カットオフライン
ＣＬ１  上側水平カットオフライン
ＣＬ２  斜めカットオフライン
ＣＬ３  下側水平カットオフライン
Ｈ  第２光源
Ｈ１  基板
Ｈ１１  位置決めピン挿入孔
Ｈ１２  ネジ挿入孔
Ｈ２  第２発光チップ
ＨＡＰ  ハイビーム付加配光
ＨＰ  ハイビーム配光パターン
Ｌ  第１光源
Ｌ１  基板
Ｌ２  第１発光チップ
ＬＰ  ロービーム配光パターン
Ｏ  レンズ光軸
ＯＰＤ１  第１の光拡散部
ＯＰＤ２  第２の光拡散部
ＯＰＤ３  第３の光拡散部
Ｐ  後方焦点
ＲＮ  １０度以内の範囲
Ｗ  第１範囲
Ｚ  灯具光軸
ＺＮ１  中央側領域
ＺＮ２  外側領域
１０１Ｌ、１０１Ｒ  車両用の前照灯
１０２  車両
【図１】
2020053215.tif 000003
【図２】
2020053215.tif 000004
【図３】
2020053215.tif 000005
【図４】
2020053215.tif 000006
【図５】
2020053215.tif 000007
【図６】
2020053215.tif 000008
【図７】
2020053215.tif 000009
【図８】
2020053215.tif 000010